(57)【要約】  ａ）ｉ）ヘアスタイリング配合物を保存するための貯蔵器を囲む容器壁、及びｉｉ）噴射剤を備える加圧容器と；ｂ）（ｉｉｉ）ヘアスタイリング配合物及び噴射剤の総重量に対して、２０重量％〜７５重量％のアルコール、及び（ｉｖ）ヘアスタイリング配合物及び噴射剤の総重量に対して、１．０重量％〜１５重量％のヘアスタイリングポリマーを含むヘアスタイリング配合物と；ｃ）容器の貯蔵器からヘアスタイリング配合物を分配するために容器に取り付けられ、バルブ及びアクチュエータを備える噴霧装置と、を備え、バルブが、バルブ本体を備え、前記バルブ本体が、ステム及びばね手段を備え；バルブが、直径０．１ｍｍ〜２．５ｍｍの制限テールピース（ＲＴＰ）、及び直径０．１ｍｍ〜１．５ｍｍの気相タップ（ＶＰＴ）を備え；アクチュエータが、主噴霧チャネルを備え、かつ出口オリフィス及び１〜８個の副噴霧チャネルを備えるインサートと連通し；前記チャネルが、出口オリフィスの周りに接線方向に配置され；出口オリフィスが、貯蔵器内のヘアスタイリング配合物と液体連通することができ；出口オリフィスが、０．０１〜２ｍｍの直径；及び０．１〜１．５ｍｍのオリフィス厚を有することを特徴とし；副噴霧チャネルが、０．１〜０．８ｍｍの高さ及び０．１〜０．５ｍｍの長さを有する、エアゾールヘアスプレー製品。【特許請求の範囲】
【請求項１】
ａ）ｉ）ヘアスタイリング配合物を保存するための貯蔵器を囲む容器壁、及び
ｉｉ）噴射剤
を備える、加圧容器と；
ｂ）（ｉｉｉ）前記ヘアスタイリング配合物及び噴射剤の総重量に対して、２０重量％〜７５重量％のアルコール、及び
（ｉｖ）前記ヘアスタイリング配合物及び噴射剤の総重量に対して、１．０重量％〜１５重量％のヘアスタイリングポリマー
を含む、ヘアスタイリング配合物と；
ｃ）前記容器の前記貯蔵器から前記ヘアスタイリング配合物を分配するために前記容器に取り付けられ、バルブ及びアクチュエータを備える噴霧装置と
を備え、
前記バルブが、バルブ本体を備え、前記バルブ本体が、ステム及びばね手段を備え；前記バルブが、直径０．１ｍｍ〜２．５ｍｍの制限テールピース（ＲＴＰ）、及び直径０．１ｍｍ〜１．５ｍｍの気相タップ（ＶＰＴ）を備え；
前記アクチュエータが、主噴霧チャネルを備え、かつ出口オリフィス及び１〜８個の副噴霧チャネルを備えるインサートと連通し；前記チャネルが、前記出口オリフィスの周りに接線方向に配置され；
前記出口オリフィスが、前記貯蔵器内の前記ヘアスタイリング配合物と液体連通することができ；
前記出口オリフィスが、０．０１〜２ｍｍの直径；及び０．１〜１．５ｍｍのオリフィス厚を有することを特徴とし；
前記副噴霧チャネルが、０．１〜０．８ｍｍの高さ及び０．１〜０．５ｍｍの長さを有する、エアゾールヘアスプレー製品。
【請求項２】
前記ヘアスタイリング配合物及び噴射剤の総重量に対して、２重量％未満の水を含む、請求項１に記載のエアゾールヘアスプレー製品。
【請求項３】
前記配合物が、無水である、請求項１又は２に記載のエアゾールヘアスプレー製品。
【請求項４】
前記ヘアスタイリングポリマーが、前記ヘアスタイリング配合物及び噴射剤の総重量に対して、１．０〜１０重量の量で存在する、請求項１〜３のいずれか一項に記載のエアゾールヘアスプレー製品。
【請求項５】
前記スタイリングポリマーが、ＶＡ／クロトネート／ビニルネオデカノエートコポリマー、ポリウレタン−１４（及び）ＡＭＰ−アクリレートコポリマー、ＰＶＭ／ＭＡコポリマーのブチルエステル、ポリエステル−５、オクチルアクリルアミド／アクリレート／ブチルアミノエチルメタクリレートコポリマー、アクリレート／ヒドロキシエステルアクリレートコポリマー、ポリウレタン−６、アクリレート／オクチルアクリルアミドコポリマー及びアクリレートコポリマー、より好ましくはＶＡ／クロトネート／ビニルネオデカノエートコポリマー及びオクチルアクリルアミド／アクリレート／ブチルアミノエチルメタクリレートコポリマーから選択される、請求項１〜４のいずれか一項に記載のエアゾールヘアスプレー製品。
【請求項６】
前記配合物が、アルカリ性塩基を含む、請求項１〜５のいずれか一項に記載のエアゾールヘアスプレー製品。
【請求項７】
前記ＲＴＰが、０．２〜１．５ｍｍ、好ましくは０．３〜１．０ｍｍの直径を有する、請求項１〜６のいずれか一項に記載のエアゾールヘアスプレー製品。
【請求項８】
前記ＶＰＴが、０．２〜１．０ｍｍ、好ましくは０．３〜０．８ｍｍの直径を有する、請求項１〜７のいずれか一項に記載のエアゾールヘアスプレー製品。
【請求項９】
前記容器が、２００〜３００ｍｌの容積を有する、請求項１〜８のいずれか一項に記載のエアゾールヘアスプレー製品。
【請求項１０】
前記出口オリフィスが、６個の副噴霧チャネルを備える、請求項１〜９のいずれか一項に記載のエアゾールヘアスプレー製品。
【請求項１１】
前記副噴霧チャネルが、０．３〜０．７ｍｍの高さを有する、請求項１〜１０のいずれか一項に記載のエアゾールヘアスプレー製品。
【請求項１２】
前記副噴霧チャネルが、０．２５〜０．３５ｍｍの長さを有する、請求項１〜１１のいずれか一項に記載のエアゾールヘアスプレー製品。
【請求項１３】
前記出口オリフィスが、０．１〜１．５ｍｍのオリフィス厚を有する、請求項１〜１２のいずれか一項に記載のエアゾールヘアスプレー製品。
【請求項１４】
請求項１〜１３のいずれか一項に記載のヘアスプレー製品を使用して、請求項１〜６のいずれか一項に記載のヘアスタイリング配合物を毛髪に塗布する工程を含む、請求項１〜１３のいずれか一項に記載のヘアスプレー製品で毛髪を処理する方法。
【発明の詳細な説明】
【技術分野】
【０００１】
本発明は、非圧縮製品と同じ回数の使用を提供しながら、ヘアスタイリング組成物の量を減少させた缶に入れて提供される「圧縮」エアゾールヘアスプレー製品に関する。
【背景技術】
【０００２】
ヘアスプレーなどのヘアスタイリング製品は、様々なヘアスタイルを実現し、髪の毛をしばらくの間所定の位置に保持するために使用される。典型的には、ヘアスプレーは、ヒト毛髪などのケラチン含有繊維に塗布したときに繊維−繊維接合部を形成するフィルム形成ポリマーを含む。これらの接合部は、繊維を一緒に「接着」し、それ故に髪型に保持力を付与する。
【０００３】
エアゾールヘアスプレー製品は、通常、耐圧容器、ノズル、噴射剤、及びヘアスタイリング配合物を備える。ヘアスプレー組成物は、通常、エアゾール形成ノズルを介してそのような製品から放出される。例えば、米国特許第２００９／０１０４１３８号を参照のこと。
【０００４】
環境持続可能性は、エアゾールの用途において、関心が増した問題となってきており、濃縮物は、製造業者及び環境の両方に利益をもたらす可能性を有する。エアゾール濃縮物は、（一次及び二次の両方の）包装の削減、噴射剤の使用の削減、出荷コストの削減などの点で製造業者にコスト上の利点を提供する。従来のエアゾールと比較して、より少ない噴射剤（例えば、揮発性有機化合物（ＶＯＣ））を放出し、より少ない包装廃棄物を生成し、製造から廃棄まで、減少したカーボンフットプリントを有する製品によって環境は利益を受ける。
【０００５】
したがって、ヘアスプレーなどの加圧製品のサイズ及び容積を小さくすることが望ましい。そのような製品は、性能に影響を与えることなく消費者使用当たりのヘアスプレー組成物の量を削減させ、これによって、ひと缶当たりの消費者の使用回数を同じに維持する。
【０００６】
英国特許第２，２９９，５０７号（Ｕｎｉｌｅｖｅｒ）は、６０重量％未満の噴射剤及び０．５ｇ／秒以下の初期噴霧速度を含む低流速噴射剤駆動制汗剤組成物を開示している。
【０００７】
欧州特許第６７４，８９９号（Ｕｎｉｌｅｖｅｒ）は、最も好ましくは組成物の３０〜６０重量％の噴射剤を含み、かつ０．３ｇ／秒未満の初期噴霧速度で組成物を噴霧することを可能にするように適合された吐出しバルブを有する濃縮消臭剤組成物を開示している。
【０００８】
米国特許第２０１５／０００４２００号（Ｔｈｅ  Ｐｒｏｃｔｅｒ＆Ｇａｍｂｌｅ  Ｃｏｍｐａｎｙ）は、水性の、実質的にアルコールを含まないヘアスタイリング配合物を含有する加圧容器を有するエアゾールヘアスプレー製品を開示している。噴霧装置は、ヘアスタイリング配合物を分配するための容器に取り付けられており、バルブ及びノズルを備え、バルブは、バルブ本体、ステム、及びばね手段を備える。バルブ本体は、インサートオリフィス及びインサートオリフィスの周りに接線方向に配置された少なくとも２つのチャネルを有するインサートを収容する。バルブ本体はまた、少なくとも２つの蒸気タップを備え、インサートオリフィスは、貯蔵器内のヘアスタイリング配合物と液体連通することができる。
【０００９】
消費者の習慣及び認識を変えるのは非常に困難となる可能性がある。製品が従来のスプレー習慣に合わない場合、その製品が消費者に受け入れられることは、その製品がどれほど優れていようとも、困難となり得る。逆に、消費者の行動には合っているが、有効性及び官能要求に応えられない製品は、商業的に受け入れられる可能性は低い。エアゾール製品を濃縮形態で提供する場合、エアゾールが従来使用されている方法に言及する必要がある。ヘアスプレー製品の典型的なスプレー期間は、アクチュエータが製品を分配するために積極的に関与している間の時間を意味し、典型的には５秒程度である。
【００１０】
消費者は、活性レベルに関係なく彼らの従来の塗布習慣に固執する可能性があるので、許容できるエアゾール濃縮物を製造することは、単に活性レベルを変えること以上のことを要する。スプレー速度を最小にすることは、濃縮物に対する別のアプローチである。ヘアスプレーエアゾールの典型的なスプレー速度は、０．５ｇ／秒〜１．５ｇ／秒のオーダーであるが、より低い速度では、濃縮エアゾールに望ましくない場合がある。スプレー速度を最小にすることは、エアゾールがより濃縮されているにもかかわらず、同じ用量をほぼ同じ時間に塗布することができるので、理論的には消費者の行動にほとんど又は全く混乱を必要としない。しかしながら、噴霧速度を低下させることは、製品エンジニアにとって多くの問題を提起する。実際問題として、スプレー速度を低下させると、ノズルの目詰まりを悪化させ、飛散を増加させる可能性がある。さらに、消費者の塗布習慣及び典型的な塗布スプレー期間の制限を考慮すると、許容できる官能特性を提供する組成物を提供することに関して、スプレー速度の低下は、課題を提起する。不十分な活性が分配される場合、噴霧速度の低下は製品効力の低下をもたらすこともある。したがって、圧縮は、噴霧速度の低下を必要とするだけでなく、圧縮製品が消費者にとって確実に許容できるものにするため、配合の変更も必要とする。
【００１１】
スプレー製品の圧縮を実現する１つの方法は、スプレー速度を低下することである。噴霧速度が低下すると、配合物中の樹脂の濃度は、それを補うために２倍にならなければならない。しかしながら、配合物中の樹脂を２倍にすると、固形分が多すぎるため、安定性の点で重大な課題が生じる可能性がある。さらに、バルブ、インサート、及びアクチュエータのオリフィスに目詰まりの問題が生じる可能性がある。これら全てが製品の性能及び完全性に悪影響を及ぼす。
【００１２】
製品の有効性を犠牲にすることなく、望ましい官能特性と分配特性との組み合わせを提供する濃縮エアゾールヘアスプレー製品が依然として必要とされている。そのような製品は、性能に影響を与えることなく消費者使用当たりのヘアスプレー組成物の量を削減させ、これによって缶当たり消費者の使用回数を同じに維持する。
【先行技術文献】
【特許文献】
【００１３】
【特許文献１】米国特許第２００９／０１０４１３８号
【特許文献２】英国特許第２，２９９，５０７号
【特許文献３】欧州特許第６７４，８９９号
【特許文献４】米国特許第２０１５／０００４２００号
【発明の概要】
【発明が解決しようとする課題】
【００１４】
本発明者らは、特別に開発されたバルブが、最適化されたインサートとの組み合わせで、圧縮を実現するためにスプレー速度を制御して、ヘアスタイリング配合物の適正なスプレー特性を実現することができることを見出した。驚くべきことに、樹脂濃度を２倍にする必要はない。
【課題を解決するための手段】
【００１５】
本発明の第１の態様では、
ａ）
ｉ）ヘアスタイリング配合物を保存するための貯蔵器を囲む容器壁、及び
ｉｉ）噴射剤
を備える、加圧容器と；
ｂ）（ｉｉｉ）ヘアスタイリング配合物及び噴射剤の総重量に対して、２０重量％〜７５重量％のアルコール、及び
（ｉｖ）ヘアスタイリング配合物及び噴射剤の総重量に対して、１．０重量％〜１５重量％のヘアスタイリングポリマー
を含む、ヘアスタイリング配合物と；
ｃ）容器の貯蔵器からヘアスタイリング配合物を分配するために容器に取り付けられ、バルブ及びアクチュエータを備える、噴霧装置と
を備えるエアゾールヘアスプレー製品であって、
バルブが、バルブ本体を備え、前記バルブ本体が、ステム及びばね手段を備え；バルブが、直径０．１ｍｍ〜２．５ｍｍの制限テールピース（ＲＴＰ）、及び直径０．１ｍｍ〜１．５ｍｍの気相タップ（ＶＰＴ）を備え；
アクチュエータが、主噴霧チャネルを備え、かつ出口オリフィス及び１〜８個の副噴霧チャネルを備えるインサートと連通し；前記チャネルが、出口オリフィスの周りに接線方向に配置され；
出口オリフィスが、貯蔵器内のヘアスタイリング配合物と液体連通することができ；
出口オリフィスが、０．０１〜２ｍｍの直径；及び０．１〜１．５ｍｍのオリフィス厚を有することを特徴とし；
副噴霧チャネルが、０．１〜０．８ｍｍの高さ及び０．１〜０．５ｍｍの長さを有する、エアゾールヘアスプレー製品が提供される。
【００１６】
本発明の第２の態様では、本発明の第１の態様のヘアスプレー製品を使用して、本発明の第１の態様で定義されたヘアスタイリング配合物を毛髪に塗布する工程を含む、本発明の態様のヘアスプレー製品で毛髪を処理する方法が提供される。
【００１７】
本発明の実施形態は、以下の非限定的な図面を参照して説明される。
【図面の簡単な説明】
【００１８】
【図１】本発明によるヘアスプレー製品の斜視図である。
【図２】本発明のヘアスプレー製品に使用される噴霧装置（４）の断面図である。
【図３】本発明のヘアスプレー製品に使用されるバルブ（５）の断面図であり、バルブは容器内に設置されている（バルブカップ（１６）に着座している）。
【図４（ａ）】本発明のヘアスプレー製品に使用されているインサート（６）の断面図である。
【図４（ｂ）】本発明のヘアスプレーに使用するためのインサート（６）の断面図である。
【発明を実施するための形態】
【００１９】
図１は、容器壁（２）及び貯蔵器（３）を有する加圧容器（１）を備えるヘアスプレー製品であって、噴霧装置（４）が、出口オリフィス（７）を有するインサート（６）を有するアクチュエータ（５）を備える、ヘアスプレー製品の斜視図である。
【００２０】
図２は、主噴霧チャネル（８）及び出口オリフィス（７）を有するインサート（６）を有するアクチュエータ（５）を備える噴霧装置（４）の断面図である。ステムソケットも示されている。
【００２１】
図３は、本発明のヘアスプレー製品に使用されるバルブ（１０）の断面図であり、バルブは、容器内に設置され、バルブカップ（１６）内に着座している。バルブ（１０）は、バルブ本体（１１）を備え、前記バルブ本体は、ステム（１２）及びばね手段（１３）を備え；バルブは、両端矢印「Ａ」で示される直径を有する制限テールピース（ＲＴＰ）（１４）及び気相タップ（ＶＰＴ）（１５）を有する。バルブカップ（１６）は、外側ガスケット（１７）及び内側ガスケット（１８）を備える。
【００２２】
図４ａは、出口オリフィス（７）及び４つの副噴霧チャネル（１９）を含むインサート（６）の断面図であり、前記チャネルは、出口オリフィス（７）の周りに接線方向に配置されている。両端矢印「Ｘ」は、請求項１に定義されているような副噴霧チャネルの長さを示す。
【００２３】
図４ｂは、出口オリフィス（７）を示すインサート（６）の断面図である。両端矢印「ＸＸ」は、請求項１に記載のオリフィス厚を示す。
【００２４】
エアゾールヘアスプレー製品
本製品は、ヘアスタイリング配合物のための貯蔵器及び液化ガス噴射剤を備える容器と、この容器に取り付けられた噴霧装置とを備えるエアゾールヘアスプレー製品に関する。
【００２５】
少なくとも１つの実施形態では、製品は、ヘアスタイリング配合物及び噴射剤の総重量に対して、５０％〜６５％のヘアスタイリング配合物、又は５５％〜６０％のヘアスタイリング配合物を含む。
【００２６】
少なくとも１つの実施形態では、製品は、ヘアスタイリング配合物及び噴射剤の総重量に対して、３５％〜５０％の噴射剤、又は４０％〜４５％の噴射剤を含む。
【００２７】
本明細書で使用される場合、他に述べられない限り、ヘアスタイリング配合物の詳細は、噴射剤が液化ガス噴射剤であるので、それが容器に入れられるとすぐにそれが噴射剤とある程度混合する前の配合物を指す。他に述べられない限り、噴射剤の詳細が記載されている場合も同じである。
【００２８】
この製品は、エアゾールヘアスプレー製品であり、したがってムース製品又はいかなるポンプ噴霧製品も含まれていない。
【００２９】
従来の噴霧速度は、典型的には０．５〜１．５ｇ／秒の範囲である。本発明の製品は、この範囲の８０〜２０％、好ましくは７０〜３０％、最も好ましくは６０〜４０％の噴霧速度で供給する。性能を損なうことなく噴霧速度をこのように低下させることは、本発明の利点の１つである。したがって、エアゾールヘアスプレー製品は、０．５〜１．５ｇ／秒の８０〜２０％、好ましくは７０〜３０％、最も好ましくは６０〜４０％の送出速度で噴霧する。
【００３０】
加圧容器
加圧容器は、ヘアスタイリング配合物を貯蔵するための貯蔵器を囲む容器壁及び噴射剤を備える。
【００３１】
容器壁は、主に直線状、湾曲状、又は先細状であり得る。
【００３２】
容器は、任意のサイズであり得るが、好ましくは「圧縮」サイズ又は旅行サイズである。
【００３３】
容器は、好ましくは２００〜３００ｍｌ、より好ましくは２２０〜２８０ｍｌ、最も好ましくは２３０〜２６０ｍｌの容積（いわゆる過充填容量）を有する。
【００３４】
容器は、好ましくは３５〜５０ｍｍ、より好ましくは４０〜４５ｍｍの直径を有する。
【００３５】
容器は、好ましくは８０〜２２０ｍｍ、より好ましくは９０〜１８０ｍｍ、最も好ましくは１１０〜１５０ｍｍの高さを有する。
【００３６】
噴射剤
ヘアスプレー組成物は、さらに噴射剤を含む。好ましい噴射剤は、ヒドロフルオロカーボン（例えばヒドロフルオロカーボン  １５２Ａ）、ジメチルエーテル、プロパン、イソブタン、ブタンなどの炭化水素及びそれらの混合物、並びに窒素及び二酸化炭素などの圧縮ガス、並びにそれらの混合物から選択される。
【００３７】
ヘアスタイリング配合物
製品は、アルコール組成物中にヘアスタイリングポリマー及び中和剤を含むヘアスタイリング配合物を含む。水ベースの組成物が、カールドループ、長い乾燥時間、及び毛髪への粘着性などの消費者のネガティブな性能をもたらすことは当技術分野において周知である。これらのネガティブは、アルコール組成物では経験されていない。
【００３８】
ヘアスタイリングポリマー
ヘアスタイリングポリマーは、ヘアスタイリング配合物及び噴射剤の総重量に対して、１．０〜１０重量％、好ましくは１．０〜８．０重量％、最も好ましくは２〜７重量％の量で存在する。
【００３９】
ヘアスタイリングポリマーは、ＶＡ／クロトネート／ビニルネオデカノエートコポリマー、ポリウレタン−１４（及び）ＡＭＰ−アクリレートコポリマー（例えば、ＡｚｋｏＮｏｂｌｅから入手可能なＤｙｎａｍＸ）、ＰＶＭ／ＭＡコポリマーのブチルエステル（例えば、Ａｓｈｌａｎｄから入手可能なＧａｎｔｒｅｚ）、ポリエステル−５、オクチルアクリルアミド／アクリレート／ブチルアミノエチルメタクリレートコポリマー、イミド化イソブチレン／無水マレイン酸コポリマー（例えば、Ａｓｈｌａｎｄから入手可能なＡｑｕａｆｌｅｘ（商標）ＦＸ−６４）、ポリビニルピロリドン、アクリレート／ヒドロキシエステルアクリレートコポリマー（例えば、ＤＯＷから入手可能なＡｃｕｄｙｎｅ１８０）、ポリウレタン−６、アクリレート／オクチルアクリルアミドコポリマー及びアクリレートコポリマー（例えば、ＡｋｚｏＮｏｂｌｅから入手可能なＢａｌａｎｃｅ  ＣＲ及びＢＡＳＦから入手可能なＬｕｖｉｍｅｒ１００Ｐ）、より好ましくはＶＡ／クロトネート／ビニルネオデカノエートコポリマー（例えば、ＡｋｚｏＮｏｂｌｅから入手可能なＲｅｓｙｎ２８−２９３０）、並びにオクチルアクリルアミド／アクリレート／ブチルアミノエチルメタクリレートコポリマー（例えば、ＡｋｚｏＮｏｂｌｅから入手可能なＡｍｐｈｏｍｅｒ）から選択され得る。
【００４０】
好ましくは、スタイリング樹脂は、ＶＡ／クロトネート／ビニルネオデカノエートコポリマー（例えば、ＡｋｚｏＮｏｂｌｅから入手可能なＲｅｓｙｎ２８−２９３０）及びオクチルアクリルアミド／アクリレート／ブチルアミノエチルメタクリレートコポリマー（例えば、ＡｋｚｏＮｏｂｌｅから入手可能なＡｍｐｈｏｍｅｒ）を含む。
【００４１】
中和剤
中和剤は、アルカリ性塩基を提供する。中和剤は、好ましくは、水酸化カリウム、水酸化ナトリウム、トリイソプロパノールアミン、２−アミノブタノール、２−アミノメチルプロパノール、アミノエチルプロパンジオール、ジメチルステラミン、ケイ酸ナトリウム、テトラヒドロキシプロピルエチレンジアミン、アンモニア、トリエタノールアミン、トリメチルアミン、アミノメチルプロパンジオール、より好ましくは２−アミノメチルプロパノール、ジメチルステアラミン及び２−アミノブタノール、並びにそれらの混合物から選択される。
【００４２】
アルコール
アルコールは、好ましくはエタノール、イソプロピルアルコール、ブタノール、最も好ましくはエタノールから選択される。
【００４３】
アルコールは、ヘアスタイリング配合物及び噴射剤の総重量に対して、３０重量％〜７５重量％、ヘアスタイリング配合物及び噴射剤の総重量に対して、好ましくは３５重量％〜７０重量％、より好ましくは３５重量％〜６０重量％、最も好ましくは、３５重量％〜５５重量％の量で存在する。
【００４４】
実質的に水を含まない
ヘアスタイリング配合物は、好ましくは実質的に水を含まない。ヘアスタイリング配合物は、好ましくは、ヘアスタイリング配合物及び噴射剤の総重量に対して、２重量％未満の水を含む。少なくとも１つの実施形態では、ヘアスタイリング配合物は、ヘアスタイリング配合物及び噴射剤の総重量に対して、０．００１〜１．８重量％、又は０．００１〜１．５重量％、又は０．００１〜１重量％の水を含む。最も好ましくは、配合物は、無水である。
【００４５】
追加成分
配合物はまた、ヘアスプレーに一般的に使用される他の補助剤を含み得る。好ましくは香料、シリコーン（例えばフェニルトリメチコン、シクロペンチルシロキサン、ＰＥＧ／ＰＰＧ−２０／１５ジメチコン）、エモーティブ、腐食防止剤、皮膚軟化剤、ＵＶ吸収剤（例えば、ベンゾフェノン−４、エチルヘキシルメトキシシンナメート）、及びそれらの混合物。
【００４６】
噴霧装置
容器に取り付けられているのは、ヘアスタイリング配合物を基材上に噴霧するための噴霧装置である。
【００４７】
バルブ
噴霧装置は、バルブを備える。
【００４８】
バルブは、バルブ本体を備え、前記バルブ本体は、ステム及びばね手段を備える。
【００４９】
バルブは、直径０．１ｍｍ〜２．５ｍｍ、好ましくは０．２〜１．５ｍｍ、最も好ましくは０．３〜１．０ｍｍの制限テールピース（ＲＴＰ）を備える。
【００５０】
バルブは、直径０．１ｍｍ〜１．５ｍｍ、好ましくは０．２〜１．０ｍｍ、最も好ましくは０．３〜０．８ｍｍの気相タップ（ＶＰＴ）を備える。
【００５１】
容器内に設置されるとき、バルブは、バルブカップ（１６）内に着座するのが好ましい。バルブカップ（１６）は、好ましくは、缶ビード上に圧着することによって缶への接続を可能にする外側ガスケット（１７）及び内側ガスケット（１８）を備える。アクチュエータを押すと、内側ガスケットが放出製品を制御する。
【００５２】
アクチュエータ
噴霧装置は、アクチュエータを備える。アクチュエータは、通常ステムの上にある。
【００５３】
アクチュエータは、主噴霧チャネルを含み、インサートと連通する。
【００５４】
インサート
インサートは、出口オリフィス及び１〜８個の副噴霧チャネル、好ましくは４〜６個の副噴霧チャネル、最も好ましくは６個の副噴霧チャネルを備え、前記チャネルは、出口オリフィスの周りに接線方向に配置されている。
【００５５】
好適なインサートは、例えば、Ｃｏｓｔｅｒから入手可能である。
【００５６】
インサートは、円錐角を制御する。望ましい粒径分布を維持しながら広い円錐角が好ましい。
【００５７】
チャネル
副噴霧チャネルは、０．１〜０．８、好ましくは０．３〜０．７ｍｍの高さ及び０．１〜０．５、好ましくは０．２５〜０．３５ｍｍの長さを有する。
【００５８】
出口オリフィス
出口オリフィスは、貯蔵器内のヘアスタイリング配合物と液体連通することができる。
【００５９】
出口オリフィスは、０．０１〜２ｍｍ、最も好ましくは０．５ｍｍの直径；及び０．１〜１．５ｍｍ、好ましくは０．３〜１．０ｍｍのオリフィス厚を有する；
オリフィスは、直線状又は円錐状でもよい。
【００６０】
［実施例］
以下のヘアスプレーを調製した：
本発明によるヘアスプレー１。
【００６１】
比較ヘアスプレーであるヘアスプレーＡ。
【００６２】
ヘアスタイリング配合物及び噴霧装置の特徴の詳細は、以下の表１に示されている。
【００６３】
ヘアスプレー１及びＡの性能は、標準的な半頭部マネキン試験プロトコルを使用して評価した。マネキン頭部（長さ１２ｃｍ以下の髪を有する）は、最初に軽量シャンプー及びコンディショナーを使用して調製され、まっすぐな滑らかなスタイルにブロー乾燥された。各使用前にヘアスプレーを穏やかに振盪した。
【００６４】
比較ヘアスプレーＡをマネキン頭部の片側の毛髪に３０ｃｍの距離から均等に１０秒間噴霧した。本発明によるヘアスプレー１を使用して、これをマネキン頭部の反対側で繰り返した。ヘアスプレー塗布中に交差汚染がないことを確実にするために、マネキンの中心の下方に透視仕切板を置いた。
【００６５】
ホールド、柔軟性、及び柔らかさの性能属性は、各属性について半単位の１〜９点の尺度を使用してエキスパートグレーダーによって評価された（評点が高い方がより望ましい）。
【００６６】
ホールドは、エキスパートグレーダーによる触覚評価により、毛髪がスプレー後のスタイルをどれだけうまく保持しているかとして定義した。
【００６７】
柔らかさは、柔らかさの感触を評価しながら、エキスパートグレーダーによって彼らの手のひらで毛髪をスクランチするために彼らの手を使用して評価した。
【００６８】
柔軟性は、スタイルを乱さずに毛髪が動いて曲がる能力として定義され、頭部を左右に３回穏やかに振ることによって評価され、エキスパートグレーダーは、動き及び保持力の両方を視覚的に評価した。
【００６９】
結果を以下の表１に示す。
【表１】
2019532732.tif 000002
【００７０】
結果は、明らかに、本発明の実施例１が比較例Ａと比較して５０％低い噴霧速度で同じ性能を実現することを示す。
【図１】
2019532732.tif 000003
【図２】
2019532732.tif 000004
【図３】
2019532732.tif 000005
【図４（Ａ）】
2019532732.tif 000006
【図４（Ｂ）】
2019532732.tif 000007
【国際調査報告】
2019532732.tif 000008
2019532732.tif 000009
2019532732.tif 000010